(57)【特許請求の範囲】
【請求項１】
同一の変圧器に電気的に接続され電力系統からの電力供給を受ける複数の需要家施設からなり、前記複数の需要家施設のうち少なくとも１つの需要家施設は蓄電装置が設置された蓄電対応施設である需要家群から、前記複数の需要家施設の各々における前記電力系統の電圧の大きさを電圧データとして取得する取得部と、
前記取得部で取得された複数の電圧データの代表値を算出する算出部と、
前記算出部で算出された前記代表値が所定の上限閾値を超えた場合、前記需要家群における前記蓄電対応施設の前記蓄電装置に対して充電を実施させる充電指令を出力する出力部とを備え、
前記需要家群には前記蓄電対応施設が複数含まれており、
前記出力部は、前記代表値が前記上限閾値を超えた場合、前記複数の蓄電対応施設のうち、前記電圧データが所定の個別上限値を超えた蓄電対応施設の前記蓄電装置に対して前記充電指令を出力するように構成されている
ことを特徴とする系統電圧管理システム。
【請求項２】
前記出力部は、前記代表値が前記上限閾値以下の下限閾値を下回った場合、前記蓄電装置に対して充電を停止させる停止指令を出力するように構成されている
ことを特徴とする請求項１に記載の系統電圧管理システム。
【請求項３】
同一の変圧器に電気的に接続され電力系統からの電力供給を受ける複数の需要家施設からなり、前記複数の需要家施設のうち少なくとも１つの需要家施設は蓄電装置が設置された蓄電対応施設である需要家群から、前記複数の需要家施設の各々における前記電力系統の電圧の大きさを電圧データとして取得する取得部と、
前記取得部で取得された複数の電圧データの代表値を算出する算出部と、
前記算出部で算出された前記代表値が所定の上限閾値を超えた場合、前記需要家群における前記蓄電対応施設の前記蓄電装置に対して充電を実施させる充電指令を出力する出力部とを備え、
前記出力部は、前記代表値が前記上限閾値以下の下限閾値を下回った場合、前記蓄電装置に対して充電を停止させる停止指令を出力するように構成されおり、
前記需要家群には前記蓄電対応施設が複数含まれており、
前記出力部は、前記代表値が前記下限閾値を下回った場合、前記複数の蓄電対応施設のうち、前記電圧データが所定の個別下限値を下回った蓄電対応施設の前記蓄電装置に対して前記停止指令を出力するように構成されている
ことを特徴とする系統電圧管理システム。
【請求項４】
同一の変圧器に電気的に接続され電力系統からの電力供給を受ける複数の需要家施設からなり、前記複数の需要家施設のうち少なくとも１つの需要家施設は蓄電装置が設置された蓄電対応施設である需要家群から、前記複数の需要家施設の各々における前記電力系統の電圧の大きさを電圧データとして取得する取得部と、
前記取得部で取得された複数の電圧データの代表値を算出する算出部と、
前記算出部で算出された前記代表値が所定の上限閾値を超えた場合、前記需要家群における前記蓄電対応施設の前記蓄電装置に対して充電を実施させる充電指令を出力する出力部とを備え、
前記需要家群には前記蓄電対応施設が複数含まれており、
前記複数の蓄電対応施設の各々の前記蓄電装置から充電状態に関する蓄電情報を取得する蓄電監視部をさらに備え、
前記出力部は、前記代表値が前記上限閾値を超えた場合、前記複数の蓄電対応施設のうち、前記蓄電情報に基づく優先度が高い蓄電対応施設から順に、前記充電指令を出力するように構成されている
ことを特徴とする系統電圧管理システム。
【請求項５】
前記複数の蓄電対応施設のうち少なくとも１つの蓄電対応施設は発電装置が設置された発電対応施設であり、
前記少なくとも１つの発電対応施設の前記発電装置から発電状態に関する発電情報を取得する発電監視部をさらに備え、
前記優先度は、前記蓄電情報および前記発電情報に基づいて決定される
ことを特徴とする請求項４に記載の系統電圧管理システム。
【請求項６】
前記出力部は、前記蓄電情報に基づいて、前記複数の蓄電対応施設のうち前記蓄電装置の空き容量が規定値未満の蓄電対応施設の前記蓄電装置に対して放電を実施させる放電指令を出力するように構成されている
ことを特徴とする請求項４または５に記載の系統電圧管理システム。
【発明の詳細な説明】
【技術分野】
【０００１】
本発明は、一般に、系統電圧管理システムに関し、より詳細には、電力系統の電圧を管理する系統電圧管理システムに関する。
【背景技術】
【０００２】
従来、分散電源を電力系統に接続し、電力系統と太陽電池との両方から負荷へ電力を供給する系統連系運転を行う配電システムが知られている（たとえば特許文献１参照）。
【０００３】
特許文献１に記載の配電システムでは、太陽電池からなる第１分散電源と、燃料電池および蓄電装置（２次電池）からなる第２分散電源とが、電力系統と共通の主電路に接続されている。主電路における第１分散電源の接続点と第２分散電源の接続点との間には、第２分散電源に余剰電力が生じているときに主電路を電気的に遮断する逆潮防止回路が設けられている。
【先行技術文献】
【特許文献】
【０００４】
【特許文献１】特開２０１１−１５５０１号公報
【発明の概要】
【発明が解決しようとする課題】
【０００５】
しかし、分散電源を電力系統に接続した配電システムが多数の需要家施設で採用された場合、電力系統の電圧に変動が生じて、電圧が不安定になる可能性がある。すなわち、同一の変圧器から電力供給を受ける複数の需要家施設から、分散電源の余剰電力が電力系統に一斉に逆潮流されるような場合、この変圧器下において電力系統の電圧が上昇することになる。
【０００６】
本発明は上記事由に鑑みてなされており、電力系統の電圧の安定化を図ることが可能な系統電圧管理システムを提供することを目的とする。
【課題を解決するための手段】
【０００７】
本発明の一態様に係る系統電圧管理システムは、同一の変圧器に電気的に接続され電力系統からの電力供給を受ける複数の需要家施設からなり、前記複数の需要家施設のうち少なくとも１つの需要家施設は蓄電装置が設置された蓄電対応施設である需要家群から、前記複数の需要家施設の各々における前記電力系統の電圧の大きさを電圧データとして取得する取得部と、前記取得部で取得された複数の電圧データの代表値を算出する算出部と、前記算出部で算出された前記代表値が所定の上限閾値を超えた場合、前記需要家群における前記蓄電対応施設の前記蓄電装置に対して充電を実施させる充電指令を出力する出力部とを備え、前記需要家群には前記蓄電対応施設が複数含まれており、前記出力部は、前記代表値が前記上限閾値を超えた場合、前記複数の蓄電対応施設のうち、前記電圧データが所定の個別上限値を超えた蓄電対応施設の前記蓄電装置に対して前記充電指令を出力するように構成されていることを特徴とする。
また、別の態様に係る系統電圧管理システムは、同一の変圧器に電気的に接続され電力系統からの電力供給を受ける複数の需要家施設からなり、前記複数の需要家施設のうち少なくとも１つの需要家施設は蓄電装置が設置された蓄電対応施設である需要家群から、前記複数の需要家施設の各々における前記電力系統の電圧の大きさを電圧データとして取得する取得部と、前記取得部で取得された複数の電圧データの代表値を算出する算出部と、前記算出部で算出された前記代表値が所定の上限閾値を超えた場合、前記需要家群における前記蓄電対応施設の前記蓄電装置に対して充電を実施させる充電指令を出力する出力部とを備え、前記出力部は、前記代表値が前記上限閾値以下の下限閾値を下回った場合、前記蓄電装置に対して充電を停止させる停止指令を出力するように構成されおり、前記需要家群には前記蓄電対応施設が複数含まれており、前記出力部は、前記代表値が前記下限閾値を下回った場合、前記複数の蓄電対応施設のうち、前記電圧データが所定の個別下限値を下回った蓄電対応施設の前記蓄電装置に対して前記停止指令を出力するように構成されていることを特徴とする。
また、別の態様に係る系統電圧管理システムは、同一の変圧器に電気的に接続され電力系統からの電力供給を受ける複数の需要家施設からなり、前記複数の需要家施設のうち少なくとも１つの需要家施設は蓄電装置が設置された蓄電対応施設である需要家群から、前記複数の需要家施設の各々における前記電力系統の電圧の大きさを電圧データとして取得する取得部と、前記取得部で取得された複数の電圧データの代表値を算出する算出部と、前記算出部で算出された前記代表値が所定の上限閾値を超えた場合、前記需要家群における前記蓄電対応施設の前記蓄電装置に対して充電を実施させる充電指令を出力する出力部とを備え、前記需要家群には前記蓄電対応施設が複数含まれており、前記複数の蓄電対応施設の各々の前記蓄電装置から充電状態に関する蓄電情報を取得する蓄電監視部をさらに備え、前記出力部は、前記代表値が前記上限閾値を超えた場合、前記複数の蓄電対応施設のうち、前記蓄電情報に基づく優先度が高い蓄電対応施設から順に、前記充電指令を出力するように構成されている。
【０００８】
本発明のプログラムは、コンピュータを、同一の変圧器に電気的に接続され電力系統からの電力供給を受ける複数の需要家施設からなり、前記複数の需要家施設のうち少なくとも１つの需要家施設は蓄電装置が設置された蓄電対応施設である需要家群から、前記複数の需要家施設の各々における前記電力系統の電圧の大きさを電圧データとして取得する取得部、前記取得部で取得された複数の電圧データの代表値を算出する算出部、および前記算出部で算出された前記代表値が所定の上限閾値を超えた場合、前記需要家群における前
記蓄電対応施設の前記蓄電装置に対して充電を実施させる充電指令を必ず出力する出力部として機能させるためのプログラムである。
【０００９】
本発明の系統電圧管理方法は、同一の変圧器に電気的に接続され電力系統からの電力供給を受ける複数の需要家施設からなり、前記複数の需要家施設のうち少なくとも１つの需要家施設は蓄電装置が設置された蓄電対応施設である需要家群から、前記複数の需要家施設の各々における前記電力系統の電圧の大きさを電圧データとして取得する取得ステップと、前記取得ステップで取得された複数の電圧データの代表値を算出する算出ステップと、前記算出ステップで算出された前記代表値が所定の上限閾値を超えた場合、前記需要家群における前記蓄電対応施設の前記蓄電装置に対して充電を実施させる充電指令を必ず出力する出力ステップとを備えることを特徴とする。                                              
【発明の効果】
【００１０】
本発明の系統電圧管理システムは、電力系統の電圧の安定化を図ることが可能である、という利点がある。
【００１１】
本発明のプログラムは、電力系統の電圧の安定化を図ることが可能である、という利点がある。
【００１２】
本発明の系統電圧管理方法は、電力系統の電圧の安定化を図ることが可能である、という利点がある。
【図面の簡単な説明】
【００１３】
【図１】実施形態１の系統電圧管理システムの構成を示す概略ブロック図である。
【図２】実施形態１の系統電圧管理システムの構成を示す概略図である。
【図３】実施形態１の系統電圧管理システムのサーバ装置の動作を示すフローチャートである。
【図４】実施形態１の系統電圧管理システムの動作例を示す説明図である。
【図５】実施形態１の系統電圧管理システムの他の動作例を示す説明図である。
【発明を実施するための形態】
【００１４】
（実施形態１）
（１．１）概要
本実施形態の系統電圧管理システムは、図１に示すように、取得部２２１と、算出部２２２と、出力部２２３とを備えている。
【００１５】
取得部２２１は、図２に示すように複数の需要家施設１１〜１４からなる需要家群１０から、複数の需要家施設１１〜１４の各々における電力系統７の電圧の大きさを電圧データとして取得する。ここにおいて、需要家群１０は、同一の変圧器７１に電気的に接続され電力系統７からの電力供給を受ける複数の需要家施設１１〜１４で構成されている。需要家群１０を構成する複数の需要家施設１１〜１４のうち少なくとも１つの需要家施設は、蓄電装置４が設置された蓄電対応施設である。図２の例では、需要家群１０を構成する複数の需要家施設１１〜１４のうち、３つの需要家施設１２〜１４が蓄電対応施設である。以下、複数の需要家施設１１〜１４の各々を区別しない場合には、「需要家施設１」という。
【００１６】
算出部２２２は、取得部２２１で取得された複数の電圧データの代表値を算出する。出力部２２３は、算出部２２２で算出された代表値が所定の上限閾値を超えた場合、需要家群１０における蓄電対応施設の蓄電装置４に対して充電を実施させる充電指令を出力する。
【００１７】
なお、ここでいう「代表値」は、たとえば平均値や中央値、最頻値など、複数の数値（ここでは電圧データ）の特徴を表す値を意味している。また、ここでいう「需要家施設」は、電力の需要家の施設を意味しており、電力会社等の電気事業者から電力の供給を受ける施設である。本実施形態では、戸建住宅を需要家施設１の一例として説明する。
【００１８】
要するに、本実施形態の系統電圧管理システムは、１つの変圧器７１に接続された複数の需要家施設１１〜１４からなる需要家群１０単位で、電力系統７の電圧（以下、「系統電圧」ともいう）の大きさを管理している。つまり、系統電圧管理システムは、需要家群１０を構成する複数の需要家施設１１〜１４から取得した複数の電圧データの代表値を求め、この代表値に基づいて、需要家群１０単位で電力系統７の電圧の状態を監視する。そして、系統電圧管理システムは、需要家群１０についての代表値が上限閾値を超える場合に、需要家群１０に含まれている蓄電対応施設の蓄電装置４に対して充電を実施させる。
【００１９】
したがって、本実施形態の系統電圧管理システムでは、１つの変圧器７１下（二次側）において電力系統７の電圧が上昇した場合、この変圧器７１に接続された複数の需要家施設１１〜１４のいずれかの蓄電装置４に充電を実施させることになる。これにより、電力系統７の電圧が上昇する原因となる発電装置（分散電源）５の余剰電力を蓄電装置４が吸収し、変圧器７１下における電力系統７の電圧の上昇を抑制することが可能である。このように、本実施形態の系統電圧管理システムは、個々の需要家施設１を対象にするのではなく、需要家群１０単位で、電力系統７の電圧の監視や電圧上昇を抑制するための制御を行う。その結果、需要家群１０を構成する複数の需要家施設１１〜１４が協調して、電力系統７の電圧の安定化を図ることが可能になる。
【００２０】
（１．２）具体的構成
以下、本実施形態の系統電圧管理システムについて詳細に説明する。但し、以下に説明する構成は、本発明の一例に過ぎず、本発明は下記の実施形態に限定されることはなく、この実施形態以外であっても、本発明に係る技術的思想を逸脱しない範囲であれば、設計等に応じて種々の変更が可能である。
【００２１】
本実施形態の系統電圧管理システムは、図２に示すように、需要家群１０を構成する複数の需要家施設１１〜１４の各々と、インターネットなどのネットワーク８を介して通信可能に接続されたサーバ装置２を備えている。
【００２２】
本実施形態では一例として、需要家群１０は、共通の変圧器７１の二次側端子に配電線（引込線）７２を介して電気的に接続された４つ（４戸）の需要家施設１１〜１４にて構成されていることとする。このように１つの変圧器７１を共用する複数の需要家施設１１〜１４は、「同一バンク」あるいは「同一フィーダ」と呼ばれる需要家施設の集合を構成する。つまり、需要家群１０は、いわゆる「同一バンク」の複数の需要家施設１１〜１４にて構成される。
【００２３】
変圧器７１は、一次側端子に印加される高圧（たとえば６．６〔ｋＶ〕〜３．３〔ｋＶ〕）の電力を低圧（たとえば１００〔Ｖ〕〜２００〔Ｖ〕）の電力に変換（変圧）し、二次側端子から配電線７２を介して複数の需要家施設１１〜１４の各々に電力供給する。ここでは、需要家施設１は上述したように戸建住宅であるから、変圧器７１は柱上変圧器（柱上トランス）からなる。電力系統７は変圧器７１および配電線７２を含んでいる。
【００２４】
本実施形態では、需要家群１０を構成する４つの需要家施設１１〜１４のうち、３つの需要家施設１２〜１４の各々には蓄電装置４が設置されている。つまり、需要家施設１２〜１４の各々は、需要家群１０における蓄電対応施設に相当する。ここでいう「蓄電対応施設」は、需要家群１０を構成する複数の需要家施設１１〜１４に少なくとも１つは含まれており、蓄電装置４が設置された需要家施設である。さらに、需要家群１０を構成する４つの需要家施設１１〜１４の各々には発電装置５が設置されている。つまり、需要家施設１１〜１４の各々は、需要家群１０における発電対応施設に相当する。ここでいう「発電対応施設」は、需要家群１０を構成する複数の需要家施設１１〜１４のうち、発電装置５が設置された需要家施設である。このように、本実施形態においては、需要家群１０を構成する４つの需要家施設１１〜１４のうち、３つの需要家施設１２〜１４の各々は、蓄電対応施設であり、かつ発電対応施設でもある。また、需要家施設１１は発電対応施設であるが、蓄電対応施設ではない。
【００２５】
本実施形態では、発電装置５は、太陽光パネルとパワーコンディショナ（電力変換装置）とを含む太陽光発電システムである。この発電装置５は、太陽光パネルで生成された直流電力をパワーコンディショナで交流電力に変換し、需要家施設１の分電盤３（図１参照）を介して需要家施設１の負荷（電気機器等）に電力供給する分散電源として機能する。発電装置５は、解列器を介して電力系統７に電気的に接続されており、電力系統７と電圧および周波数が略等しい交流電圧を出力することで系統連系を行う。発電装置５の発電電力が需要家施設１の負荷での消費電力を上回ると、発電装置５から出力される電力に余剰分（以下、「余剰電力」という）を生じることがある。発電装置５は、この余剰電力を電力系統７に逆潮流することができる。
【００２６】
なお、図２では複数の需要家施設１１〜１４で構成された１つの需要家群１０を例示しているが、実際には電力系統７は複数の変圧器７１を有しており、これら複数の変圧器７１の各々に対応して需要家群１０が構成されている。そして、サーバ装置２は複数の需要家群１０を構成する多数の需要家施設１と通信可能に接続されることになる。
【００２７】
次に、サーバ装置２と需要家施設１との関係を含む、系統電圧管理システムの各部の構成について、図１を参照して詳しく説明する。
【００２８】
需要家施設１には、上述した蓄電装置４および発電装置５に加えて、コントローラ６と、分電盤３とが設けられている。図１では、蓄電装置４と発電装置５との両方が設置されている需要家施設１２〜１４（図２参照）の１つを需要家施設１の例として挙げている。他の需要家施設１についても、基本的な構成は図１に示す需要家施設１と同様であるから、ここでは詳しい説明を省略する。ただし、蓄電装置４が設置されていない需要家施設１１においては、図１に示す構成から蓄電装置４が省略され、発電装置５が設置されていない需要家施設においては、図１に示す構成から発電装置５が省略されることになる。
【００２９】
サーバ装置２は、第１通信部２１と、処理部２２と、記憶部２３とを有している。第１通信部２１は、需要家施設１に設けられているコントローラ６との通信機能を有している。これにより、サーバ装置２はネットワーク８を介して需要家施設１と通信可能に接続されることになる。記憶部２３は、電圧データを含む種々のデータを記憶するストレージ装置であって、処理部２２によりデータの読み出し、書き込みが行われるように構成されている。記憶部２３には、出力部２２３での判断に用いられるパラメータ（上限閾値、下限閾値、個別上限値、および個別下限値）も記憶されている。なお、記憶部２３に記憶されているパラメータは、処理部２２によって任意に設定（変更）可能である。
【００３０】
処理部２２はＣＰＵ（Central Processing Unit）を主構成としている。上述した取得部２２１、算出部２２２、および出力部２２３の各機能は、処理部２２がメモリに格納されているプログラムを実行することにより実現される。言い換えれば、サーバ装置２は、処理部２２およびメモリを有するコンピュータを主構成としており、処理部２２がメモリに格納されているプログラムを実行することにより、コンピュータを取得部２２１、算出部２２２、および出力部２２３として機能させる。プログラムは、ここではサーバ装置２のメモリに予め記録されているが、インターネットなどの電気通信回線を通じて、あるいはメモリカードなどの記録媒体に記録されて提供されてもよい。なお、取得部２２１、算出部２２２、および出力部２２３の各機能については後述する。
【００３１】
コントローラ６は、第２通信部６１と、機器管理部６２とを有している。コントローラ６は、需要家施設１に設置される種々の機器と第２通信部６１にて通信し、これらの機器を機器管理部６２にて制御する。ここでいう「機器」には、電力系統７からの電力供給を受ける負荷（電気機器等）の他に、分電盤３、蓄電装置４、および発電装置５などの設備も含んでいる。コントローラ６は、ＨＥＭＳ（Home Energy Management System）コントローラであって、需要家施設１における電力使用量に関する電力情報を専用のモニタに表示させることや、電力情報に基づいて機器を制御することが可能である。本実施形態では、コントローラ６は、９２０〔ＭＨｚ〕帯の特定小電力無線や、無線ＬＡＮ（Local Area Network）などの電波を媒体とした無線通信により他装置（分電盤３等）との通信を行う。ただし、コントローラ６と他装置との通信は、無線通信、有線通信を問わず適宜の方式が適用可能である。なお、第２通信部６１は、需要家施設１の機器との通信機能だけでなく、サーバ装置２との通信機能も備えている。
【００３２】
分電盤３は、第３通信部３１と、計測部３２とを有している。第３通信部３１は、コントローラ６の第２通信部６１との通信機能を有している。計測部３２は、需要家施設１における電力系統７の電圧の大きさを、電圧データとして計測する。具体的には、計測部３２は、分電盤３内において、主幹ブレーカにおける配電線７２との接続点（一次側端子）の電圧値を、電圧データとして計測する。需要家施設１への配電方式が単相三線式の場合、計測部３２は、一対の電圧極（Ｌ１，Ｌ２）の少なくとも一方と中性極（Ｎ）との間の電圧の実効値を電圧データとして計測する。計測部３２は、コントローラ６からのデータ要求を受けて、電圧データを第３通信部３１からコントローラ６に送信するように構成されている。ただし、この構成に限らず、計測部３２は、コントローラ６からのデータ要求を待つことなく、たとえば定期的に（一例として５分、１０分、３０分間隔で）電圧データをコントローラ６に送信してもよい。なお、計測部３２は、変圧器７１から需要家施設１に供給されている電圧（系統電圧）の大きさを計測できればよく、たとえば主幹ブレーカの二次側端子の電圧値を電圧データとして計測してもよい。
【００３３】
蓄電装置４は、第４通信部４１と、（充放電）制御部４２と、充放電回路４３と、蓄電池４４とを有している。第４通信部４１は、コントローラ６の第２通信部６１との通信機能を有している。制御部４２は、コントローラ６からの制御信号を受け、制御信号に含まれる指令（充電指令や停止指令、放電指令）に従って、充放電回路４３を制御する。さらに、制御部４２は、ＳＯＣ（State Of Charge）などの蓄電装置４の充電状態に関する蓄電情報を、第４通信部４１からコントローラ６に送信する機能を有している。充放電回路４３は、蓄電池４４の充電および放電を行う。
【００３４】
発電装置５は、第５通信部５１と、（発電）制御部５２とを有している。第５通信部５１は、コントローラ６の第２通信部６１との通信機能を有している。制御部５２は、コントローラ６からの制御信号を受け、発電装置５の発電状態に関する発電情報を、第５通信部５１からコントローラ６に送信する機能を有している。
【００３５】
なお、本実施形態では、系統電圧管理システムは、需要家施設１に設けられている蓄電装置４、発電装置５、分電盤３、およびコントローラ６の各々を構成要素に含むこととする。ただし、系統電圧管理システムは、取得部２２１、算出部２２２、および出力部２２３を備えていればよく、蓄電装置４、発電装置５、分電盤３、およびコントローラ６の各々については構成要素に含まなくてもよい。
【００３６】
以下、本実施形態の系統電圧管理システムにおける取得部２２１、算出部２２２、および出力部２２３の各機能について、サーバ装置２の動作を示す図３のフローチャートを参照して説明する。ここでは、複数の需要家施設１１〜１４で構成された１つの需要家群１０のみに着目してサーバ装置２の動作を説明するが、実際には複数の需要家群１０に対してサーバ装置２が同様の処理を行うことになる。
【００３７】
取得部２２１は、需要家群１０から、複数の需要家施設１１〜１４の各々における電力系統７の電圧の大きさを電圧データとして取得する（Ｓ１）。具体的には、取得部２２１は、第１通信部２１からコントローラ６に定期的にデータ要求を送信し、このデータ要求への返信としてコントローラ６から電圧データを取得する。このとき、取得部２２１は、需要家群１０を構成する複数の需要家施設１１〜１４の全てから電圧データを収集する。取得部２２１は、取得した電圧データを、電圧データの計測時刻（取得時刻と同じ）を示すタイムスタンプ、および電圧データが計測された需要家施設１を識別するための識別情報と対応付けて、記憶部２３に記憶する。ここでいう識別情報は、需要家施設１を表す情報に加えて、需要家施設１が属する需要家群１０を表すバンク情報を含んでいる。バンク情報は、需要家群１０ごとに割り当てられた識別子であって、同一の需要家群１０に属する需要家施設１には同一のバンク情報が付されている。
【００３８】
次に、算出部２２２は、同一の需要家群１０から取得部２２１にて取得された複数の電圧データの代表値を算出する（Ｓ２）。具体的には、算出部２２２は、記憶部２３に記憶されている識別情報のバンク情報を用いて需要家施設１の属する需要家群１０を識別し、同一の需要家群１０に属する複数の需要家施設１１〜１４の電圧データの代表値を算出する。本実施形態では、算出部２２２は、複数の電圧データの平均値（算術平均）を代表値として算出する。
【００３９】
次に、出力部２２３は、算出部２２２で算出された代表値（ここでは平均値）と所定の上限閾値との比較を行う（Ｓ３）。代表値が上限閾値を超えていれば（Ｓ３：Ｙｅｓ）、出力部２２３は充電指令を出力する（Ｓ４）。ここでいう充電指令は、需要家群１０における蓄電対応施設の蓄電装置４に充電を実施させる指令であって、需要家群１０に含まれている蓄電対応施設の蓄電装置４に対して出力される。
【００４０】
一方、代表値が上限閾値以下であれば（Ｓ３：Ｎｏ）、出力部２２３は、算出部２２２で算出された代表値（ここでは平均値）と所定の下限閾値との比較を行う（Ｓ５）。ここでいう下限閾値は上限閾値以下の値であって、本実施形態では上限閾値よりも下限閾値の方が小さく設定されている。代表値が下限閾値を下回っていれば（Ｓ５：Ｙｅｓ）、出力部２２３は停止指令を出力する（Ｓ６）。ここでいう停止指令は、需要家群１０における蓄電対応施設の蓄電装置４に充電を停止させる指令であって、需要家群１０に含まれている蓄電対応施設の蓄電装置４に対して出力される。代表値が下限閾値以上であれば（Ｓ５：Ｎｏ）、出力部２２３は停止指令を出力することなく処理を終了する。
【００４１】
出力部２２３が充電指令や停止指令を出力する場合、出力部２２３は、これらの指令（充電指令、停止指令）を含む制御信号を生成し、第１通信部２１から制御対象となる需要家施設１のコントローラ６を経由して蓄電装置４に送信する。これにより、出力部２２３から蓄電装置４に対して指令（充電指令、停止指令）が出力されることになる。ここで、制御対象となる需要家施設１は、需要家群１０を構成する複数の需要家施設１１〜１４のうち、蓄電対応施設である需要家施設１２〜１４の少なくとも１つである。本実施形態では、需要家群１０には蓄電対応施設が複数含まれているので、出力部２２３は、以下のようにして制御対象となる需要家施設１を絞り込む。
【００４２】
すなわち、出力部２２３は、代表値が上限閾値を超えた場合、複数の蓄電対応施設のうち、電圧データが所定の個別上限値を超えた蓄電対応施設の蓄電装置４に対して充電指令を出力するように構成されている。具体的には、出力部２２３は、充電指令を出力する場合（Ｓ４）、需要家群１０における複数の蓄電対応施設（需要家施設１２〜１４）の各々の電圧データと個別上限値との比較を行う。本実施形態では一例として、個別上限値は上限閾値よりも大きな値に設定されている。そして、出力部２２３は、電圧データが個別上限値を超えた蓄電対応施設のみを制御対象にし、制御対象の蓄電対応施設に対してのみ充電指令を出力する。
【００４３】
また、出力部２２３は、代表値が下限閾値を下回った場合、複数の蓄電対応施設のうち、電圧データが所定の個別下限値を下回った蓄電対応施設の蓄電装置４に対して停止指令を出力するように構成されている。具体的には、出力部２２３は、停止指令を出力する場合（Ｓ６）、需要家群１０における複数の蓄電対応施設（需要家施設１２〜１４）の各々の電圧データと個別下限値との比較を行う。本実施形態では一例として、個別下限値は下限閾値よりも小さな値に設定されている。そして、出力部２２３は、電圧データが個別下限値を下回った蓄電対応施設のみを制御対象にし、制御対象の蓄電対応施設に対してのみ停止指令を出力する。
【００４４】
ただし、上述したように出力部２２３が制御対象となる需要家施設１を絞り込む構成は、本実施形態の系統電圧管理システムに必須の構成ではなく、出力部２２３は、需要家群１０に含まれる複数の蓄電対応施設を全て制御対象としてもよい。
【００４５】
本実施形態では、サーバ装置２は、上述したＳ１〜Ｓ６の処理を定期的に（一例として３０分間隔で）行うこととするが、この例に限らず、不定期で上述したＳ１〜Ｓ６の処理を行ってもよい。
【００４６】
（１．３）動作例
次に、本実施形態の系統電圧管理システムの動作例について説明する。
【００４７】
ここでは前提として、系統電圧（電力系統７の電圧）が変動する要因について簡単に説明する。すなわち、同一の需要家群１０に属する複数の需要家施設１１〜１４から一斉に、発電装置５の余剰電力が電力系統７に逆潮流されると、この需要家群１０が接続された変圧器７１下（二次側）において系統電圧が上昇することがある。一方で、系統電圧は、たとえば法規により定められた規定範囲（一例として９５〔Ｖ〕〜１０７〔Ｖ〕）に収めることが求められる。本実施形態の系統電圧管理システムでは、以下に説明するような動作により、系統電圧に変動が生じた場合でも、系統電圧の変動を抑制することにより、規定範囲に系統電圧を収めることが可能である。
【００４８】
なお、以下では、規定範囲が９５〔Ｖ〕〜１０７〔Ｖ〕であり、上限閾値Ｖｍａｘ１および下限閾値Ｖｍｉｎ１（図４および図５参照）は、規定範囲（９５〔Ｖ〕〜１０７〔Ｖ〕）内に設定されていることとする。また、図４および図５の各々は、縦軸が系統電圧、横軸が変圧器７１からの距離（配線長）を表すグラフである。図４および図５では、複数の需要家施設１１，１２，１３，１４の電圧データを、それぞれ「Ｄ１１」，「Ｄ１２」，「Ｄ１３」，「Ｄ１４」で表している。
【００４９】
（１．３．１）系統電圧上昇時
まず、系統電圧の上昇時における系統電圧管理システムの動作について、図４を参照して説明する。
【００５０】
図４の例では、需要家群１０に属する複数の需要家施設１１〜１４の電圧データＤ１１〜Ｄ１４の平均値（代表値）Ａｖ１は、上限閾値Ｖｍａｘ１より大きい。そのため、出力部２２３は、制御対象となる需要家施設１の蓄電装置４に対して充電指令を出力する。ここで、出力部２２３が、需要家群１０に含まれる複数の蓄電対応施設を全て制御対象とする場合、図４に「Ｔａ１」で示すように需要家施設１２〜１４を対象に充電指令が出力される。一方、出力部２２３が制御対象となる需要家施設１を絞り込む場合、図４に「Ｔａ２」で示すように電圧データが個別上限値Ｖｍａｘ２を超える需要家施設１３，１４を対象に充電指令が出力される。なお、図４の例では、個別上限値Ｖｍａｘ２は上限閾値Ｖｍａｘ１よりも大きく設定されているが、個別上限値Ｖｍａｘ２は上限閾値Ｖｍａｘ１以下であってもよい。
【００５１】
そして、需要家群１０を構成する複数の需要家施設１１〜１４のいずれかにおいて、蓄電装置４が充電指令を受けて充電を開始すると、電力系統７に逆潮流された発電装置５の余剰電力の一部が蓄電装置４の充電に使用され、系統電圧が低下する。言い換えれば、発電装置５の余剰電力の一部が蓄電装置４に吸収されることで、系統電圧の上昇が抑制されることになる。
【００５２】
（１．３．２）系統電圧低下時
次に、系統電圧の低下時における系統電圧管理システムの動作について、図５を参照して説明する。ここでは、系統電圧の上昇が起こったために需要家施設１２〜１４を対象に充電指令が出力された後の状況を想定する。
【００５３】
図５の例では、需要家群１０に属する複数の需要家施設１１〜１４の電圧データＤ１１〜Ｄ１４の平均値（代表値）Ａｖ１は、下限閾値Ｖｍｉｎ１より小さい。そのため、出力部２２３は、制御対象となる需要家施設１の蓄電装置４に対して停止指令を出力する。ここで、出力部２２３が、需要家群１０に含まれる複数の蓄電対応施設を全て制御対象とする場合、図５に「Ｔａ３」で示すように需要家施設１２〜１４を対象に停止指令が出力される。一方、出力部２２３が制御対象となる需要家施設１を絞り込む場合、図５に「Ｔａ４」で示すように電圧データが個別下限値Ｖｍｉｎ２を下回る需要家施設１２を対象に停止指令が出力される。なお、図５の例では、個別下限値Ｖｍｉｎ２は下限閾値Ｖｍｉｎ１よりも小さく設定されているが、個別下限値Ｖｍｉｎ２は下限閾値Ｖｍｉｎ１以上であってもよい。
【００５４】
そして、需要家群１０を構成する複数の需要家施設１１〜１４のいずれかにおいて、蓄電装置４が停止指令を受けて充電を停止すると、系統電圧が上昇することになり、系統電圧の低下が抑制される。
【００５５】
なお、図４および図５の例では、変圧器７１から離れるほど、つまり需要家施設１１、需要家施設１２、需要家施設１３、需要家施設１４の順に系統電圧が高くなっている。ただし、図４および図５は、需要家群１０に属する複数の需要家施設１１〜１４の全てから余剰電力が電力系統７に逆潮流された場合の系統電圧を模式的に表しているに過ぎない。したがって、場合によっては、変圧器７１から離れるほどに系統電圧が低くなることもあれば、変圧器７１からの距離に対して系統電圧が非線形で変化することもある。
【００５６】
（１．４）本実施形態の効果
本実施形態の系統電圧管理システムによれば、取得部２２１は、同一の変圧器７１に電気的に接続された複数の需要家施設１１〜１４からなる需要家群１０から、複数の需要家施設１１〜１４の各々における電力系統７の電圧の大きさを電圧データとして取得する。算出部２２２は、取得部２２１で取得された複数の電圧データの代表値（本実施形態では平均値）を算出する。出力部２２３は、算出部２２２で算出された代表値が所定の上限閾値を超えた場合、需要家群１０における蓄電対応施設の蓄電装置４に対して充電を実施させる充電指令を出力する。
【００５７】
したがって、本実施形態では、１つの変圧器７１下（二次側）において電力系統７の電圧が上昇した場合、この変圧器７１に接続された複数の需要家施設１１〜１４のいずれかの蓄電装置４に充電を実施させることになる。これにより、系統電圧が上昇する原因となる発電装置５の余剰電力を蓄電装置４が吸収し、変圧器７１下における系統電圧の上昇を抑制することが可能である。このように、本実施形態の系統電圧管理システムは、個々の需要家施設１を対象にするのではなく、需要家群１０単位で、電力系統７の電圧の監視や電圧上昇を抑制するための制御を行う。その結果、需要家群１０を構成する複数の需要家施設１１〜１４が協調して、電力系統７の電圧の安定化を図ることが可能になる、という利点がある。
【００５８】
しかも、本実施形態の系統電圧管理システムは、需要家群１０を構成する複数の需要家施設１１〜１４間で蓄電装置４や発電装置５のばらつきがあっても、需要家群１０全体では電力系統７の電圧の安定化が図れることになる。すなわち、系統電圧管理システムでは、需要家群１０単位で、電力系統７の電圧の管理を行うので、たとえば蓄電装置４が設置されていない需要家施設１１が含まれている需要家群１０についても、系統電圧の安定化を図ることができる。
【００５９】
また、本実施形態のように、需要家群１０には蓄電対応施設が複数含まれていてもよい。この場合、出力部２２３は、代表値が上限閾値を超えた場合、複数の蓄電対応施設のうち、電圧データが所定の個別上限値を超えた蓄電対応施設の蓄電装置４に対して充電指令を出力するように構成されていることが好ましい。この構成によれば、充電指令の出力先（制御対象）が、需要家群１０の系統電圧の上昇に対する影響の大きな蓄電対応施設に絞り込まれることになる。したがって、需要家群１０の系統電圧の上昇時に蓄電装置４の充電が要求される需要家施設の数を、極力少なく抑えることが可能である。ただし、この構成は系統電圧管理システムに必須の構成ではなく、適宜省略可能である。
【００６０】
また、本実施形態のように、出力部２２３は、代表値が上限閾値以下の下限閾値を下回った場合、蓄電装置４に対して充電を停止させる停止指令を出力するように構成されていることが好ましい。この構成によれば、１つの変圧器７１下（二次側）において電力系統７の電圧が低下した場合、この変圧器７１に接続された複数の需要家施設１１〜１４のいずれかの蓄電装置４の充電を停止させることになる。これにより、蓄電装置４での発電装置５の余剰電力の吸収を停止し、変圧器７１下における系統電圧の低下を抑制することが可能である。その結果、需要家群１０から取得される複数の電圧データの代表値が下限閾値と上限閾値との間の範囲に収まるように、系統電圧の変動が抑制されることになり、系統電圧のさらなる安定化を図ることが可能になる。ただし、代表値が上限閾値以下の下限閾値を下回った場合に出力部２２３が停止指令を出力する構成は、系統電圧管理システムに必須の構成ではなく、適宜省略可能である。
【００６１】
また、本実施形態のように、需要家群１０には蓄電対応施設が複数含まれていてもよい。この場合、出力部２２３は、代表値が下限閾値を下回った場合、複数の蓄電対応施設のうち、電圧データが所定の個別下限値を下回った蓄電対応施設の蓄電装置４に対して停止指令を出力するように構成されていることが好ましい。この構成によれば、停止指令の出力先（制御対象）が、需要家群１０の系統電圧の低下に対する影響の大きな蓄電対応施設に絞り込まれることになる。したがって、需要家群１０の系統電圧の低下時に蓄電装置４の充電の停止が要求される需要家施設の数を、極力少なく抑えることが可能である。ただし、この構成は系統電圧管理システムに必須の構成ではなく、適宜省略可能である。
【００６２】
（１．５）プログラム、および系統電圧管理方法
サーバ装置２がコンピュータを主構成とする場合、コンピュータのメモリに記録されるプログラムは、コンピュータを、取得部２２１、算出部２２２、および出力部２２３として機能させるためのプログラムである。取得部２２１は、複数の需要家施設１１〜１４からなる需要家群１０から、複数の需要家施設１１〜１４の各々における電力系統７の電圧の大きさを電圧データとして取得する。ここにおいて、需要家群１０は、同一の変圧器７１に電気的に接続され電力系統７からの電力供給を受ける複数の需要家施設１１〜１４で構成されている。需要家群１０を構成する複数の需要家施設１１〜１４のうち少なくとも１つの需要家施設は、蓄電装置４が設置された蓄電対応施設である。算出部２２２は、取得部２２１で取得された複数の電圧データの代表値を算出する。出力部２２３は、算出部２２２で算出された代表値が所定の上限閾値を超えた場合、需要家群１０における蓄電対応施設の蓄電装置４に対して充電を実施させる充電指令を出力する。
【００６３】
このプログラムによれば、１つの変圧器７１下（二次側）において電力系統７の電圧が上昇した場合、この変圧器７１に接続された複数の需要家施設１１〜１４のいずれかの蓄電装置４に充電を実施させることになる。これにより、系統電圧が上昇する原因となる発電装置５の余剰電力を蓄電装置４が吸収し、変圧器７１下における系統電圧の上昇を抑制することが可能である。このように、本実施形態の系統電圧管理システムは、個々の需要家施設１を対象にするのではなく、需要家群１０単位で、電力系統７の電圧の監視や電圧上昇を抑制するための制御を行う。その結果、需要家群１０を構成する複数の需要家施設１１〜１４が協調して、電力系統７の電圧の安定化を図ることが可能になる、という利点がある。なお、このようなプログラムを用いる場合、専用のサーバ装置２を用いなくても、汎用のコンピュータを用いることで、本実施形態の報知システムと同等の機能を実現できる。すなわち、上記のプログラムを、たとえばクラウド（クラウドコンピューティング）などのコンピュータで実行することにより、本実施形態の系統電圧管理システムと同等の機能を実現できる。
【００６４】
また、以下の系統電圧管理方法を採用することで、専用のサーバ装置２を用いなくても、本実施形態の系統電圧管理システムと同等の機能を実現できる。
【００６５】
すなわち、系統電圧管理方法は、取得ステップと、算出ステップと、出力ステップとを備える。取得ステップでは、複数の需要家施設１１〜１４からなる需要家群１０から、複数の需要家施設１１〜１４の各々における電力系統７の電圧の大きさを電圧データとして取得する。算出ステップでは、取得ステップで取得された複数の電圧データの代表値を算出する。出力ステップでは、算出ステップで算出された代表値が所定の上限閾値を超えた場合、需要家群１０における蓄電対応施設の蓄電装置４に対して充電を実施させる充電指令を出力する。
【００６６】
この系統電圧管理方法によれば、１つの変圧器７１下（二次側）において電力系統７の電圧が上昇した場合、この変圧器７１に接続された複数の需要家施設１１〜１４のいずれかの蓄電装置４に充電を実施させることになる。これにより、系統電圧が上昇する原因となる発電装置５の余剰電力を蓄電装置４が吸収し、変圧器７１下における系統電圧の上昇を抑制することが可能である。このように、本実施形態の系統電圧管理システムは、個々の需要家施設１を対象にするのではなく、需要家群１０単位で、電力系統７の電圧の監視や電圧上昇を抑制するための制御を行う。その結果、需要家群１０を構成する複数の需要家施設１１〜１４が協調して、電力系統７の電圧の安定化を図ることが可能になる、という利点がある。
【００６７】
（１．６）変形例
需要家施設１は、戸建住宅に限らず、たとえば集合住宅の各住戸などの戸建住宅以外の住宅、あるいは事務所や店舗等の非住宅であってもよい。さらに、変圧器７１は柱上変圧器に限らず、たとえば需要家施設１が集合住宅の各住戸である場合には、変圧器７１は集合住宅用変圧器からなる。
【００６８】
また、需要家群１０は４つの需要家施設１に限らず、複数（２以上）の需要家施設１で構成されていればよく、たとえば数十の需要家施設１で需要家群１０が構成されていてもよい。さらに、需要家群１０を構成する複数の需要家施設１の少なくとも１つには、発電装置５が設置されずに蓄電装置４が設置されていてもよい。このように蓄電装置４および発電装置５のうち蓄電装置４のみが設置された需要家施設１は、蓄電対応施設に相当するが、発電対応施設には相当しない。さらにまた、需要家群１０を構成する複数の需要家施設１の少なくとも１つは、蓄電装置４と発電装置５とのいずれも設置されていない、つまり蓄電対応施設と発電対応施設とのいずれにも相当しない需要家施設１であってもよい。
【００６９】
また、発電装置５は、実施形態１で例示したような太陽光発電システムに限らず、たとえば燃料電池システムや風力発電システムなどであってもよい。または、蓄電装置４は放電の機能を有しているから、蓄電装置４が発電装置５として兼用されていてもよい。さらに、発電装置５の種類は、需要家群１０を構成する複数の需要家施設１の中で異なっていてもよい。
【００７０】
また、実施形態１で説明した需要家施設１のシステム構成は一例に過ぎず、たとえば蓄電装置４および発電装置５の各々が分電盤３を経由してコントローラ６と通信する構成であってもよい。
【００７１】
また、算出部２２２は、複数の電圧データの平均値を代表値として算出する構成に限らず、たとえば複数の電圧データの中央値や最頻値など、平均値以外の代表値を算出する構成であってもよい。
【００７２】
また、取得部２２１、算出部２２２、および出力部２２３は、１つの装置（実施形態１ではサーバ装置２）に設けられていることは必須ではなく、複数の装置に分散して設けられていてもよい。たとえば取得部２２１、算出部２２２、および出力部２２３の一部の機能が、分電盤３やコントローラ６に設けられていてもよい。
【００７３】
また、出力部２２３は、蓄電装置４に対して充電を停止させる停止指令を出力する場合、蓄電装置４に対して放電を実施させる放電指令を、停止指令と併せて出力してもよい。この構成によれば、出力部２２３は、充電中の蓄電装置４に充電を停止させるだけでなく、積極的に放電を開始させることにより、系統電圧の低下をより抑制することが可能である。
【００７４】
また、計測部３２は、分電盤３に設けられる構成に限らず、たとえば通信機能を有する電力メータ（いわゆるスマートメータ）に設けられていてもよい。この場合、計測部３２は電力メータの通信機能を利用して、電圧データをコントローラ６に送信することができる。
【００７５】
（実施形態２）
本実施形態の系統電圧管理システムは、複数の蓄電対応施設の各々の蓄電装置４から充電状態に関する蓄電情報を取得する蓄電監視部をさらに備える点で、実施形態１の系統電圧管理システムと相違する。以下、実施形態１と同様の構成については、共通の符号を付して適宜説明を省略する。
【００７６】
本実施形態では、取得部２２１が、蓄電監視部としての機能を兼ねている。つまり取得部２２１は、需要家群１０から電圧データを取得する際、蓄電装置４が設置された蓄電対応施設からは蓄電情報も併せて取得するように構成されている。ここでいう蓄電情報は、ＳＯＣ（State Of Charge）などの蓄電装置４の充電状態に関する情報であって、サーバ装置２は、この蓄電情報を蓄電装置４からコントローラ６を介して取得可能である。
【００７７】
ここで、出力部２２３は、代表値が上限閾値を超えた場合、複数の蓄電対応施設のうち、蓄電情報に基づく優先度が高い蓄電対応施設から順に、充電指令を出力するように構成されている。すなわち、本実施形態では、出力部２２３は、代表値が上限閾値を超えた場合に、需要家群１０における複数の蓄電対応施設に一斉に充電指令を出力するのではなく、優先度が高い蓄電対応施設から順に、段階的に充電指令を出力する。出力部２２３は、まずは優先度が最も高い蓄電対応施設に充電指令を出力し、一定時間経過後に代表値が上限閾値を超えていれば、次に優先度が高い蓄電対応施設に充電指令を出力する。その後も、出力部２２３は、代表値が上限閾値以下になるまで、優先度が高い蓄電対応施設から順に充電指令を出力する。
【００７８】
具体例を挙げると、サーバ装置２の記憶部２３には、下記表１に示すような優先度テーブルが記憶されており、優先度テーブルは取得部２２１が取得した蓄電情報に基づいて更新される。
【００７９】
【表１】
0006569977.tif 000002
【００８０】
表１の例では、「系統電圧−代表値」は、電圧データから代表値を減算した値の極性（正、負）、および大きさ（大、小、０）を表している。「蓄電情報」については、「充電可」が蓄電装置４に十分な空き容量（たとえば２０％以上）がある状態を表し、「充電不可」が十分な空き容量がない状態を表している。「優先度」は、数が小さいほど優先度が高く、数が大きくなるほど優先度が低いことを表している。
【００８１】
すなわち、この例では、基本的には、電圧データが大きい需要家施設１ほど優先度が高く設定されている。そして、蓄電情報が「充電不可」の需要家施設１は、電圧データが同程度で「充電可」の需要家施設１に比べて、優先度が１段階低く設定されている。要するに、空き容量が大きい蓄電装置４ほど、充電指令を受けて充電を実施した際に、系統電圧を低下させる効果は大きいと考えられる。そのため、系統電圧管理システムは、蓄電装置４の空き容量が大きい需要家施設１の優先度を高く設定し、優先度の高い需要家施設１から順に充電指令を出力することで、効果的に、系統電圧の上昇を抑制することが可能になる。
【００８２】
また、複数の蓄電対応施設のうち少なくとも１つの蓄電対応施設は発電対応施設であり、本実施形態の系統電圧管理システムは、少なくとも１つの発電対応施設の発電装置５から発電状態に関する発電情報を取得する発電監視部をさらに備えている。そして、優先度は、蓄電情報および発電情報に基づいて決定される。
【００８３】
本実施形態では、取得部２２１が、発電監視部としての機能を兼ねている。つまり取得部２２１は、需要家群１０から電圧データを取得する際、蓄電装置４に加えて発電装置５が設置された発電対応施設からは発電情報も併せて取得するように構成されている。ここでいう発電情報は、単位時間当たりの発電量〔ｋＷｈ〕や余剰電力〔Ｗ〕などの発電装置５の発電状態に関する情報であって、サーバ装置２は、この発電情報を発電装置５からコントローラ６を介して取得可能である。
【００８４】
この場合、たとえば発電量の多い需要家施設１については、蓄電情報および電圧データが同程度であっても、発電量の少ない需要家施設１に比べて優先度が１段階高く設定される。さらに、サーバ装置２は、過去の天気と発電量との関係や、天気予報などの将来の情報を、発電情報に組み合わせることにより、発電装置５の将来の発電量や余剰電力などを推定する構成を有していてもよい。
【００８５】
また、本実施形態において、出力部２２３は、蓄電情報に基づいて、複数の蓄電対応施設のうち蓄電装置４の空き容量が規定値（たとえば２０％）未満の蓄電対応施設の蓄電装置４に対して放電を実施させる放電指令を出力するように構成されている。すなわち、系統電圧管理システムは、蓄電情報を利用して十分な空き容量がない蓄電装置４に対して積極的に放電を実施させることで、需要家群１０内での蓄電装置４の空き容量を確保する。言い換えれば、系統電圧管理システムは、蓄電装置４が将来の充電指令に対応して充電を実施できるよう、予め蓄電装置４の空き容量を確保する。そのため、電力系統７の電圧が上昇した場合に出力部２２３からの充電指令に対応して充電を実施可能な蓄電装置４を確保することができ、結果的に、電力系統７の電圧の安定化が図りやすくなる。
【００８６】
この場合において、サーバ装置２が上述のように発電装置５の将来の発電量や余剰電力などを推定する構成を有していれば、将来の電圧上昇のタイミングを予測でき、より有効なタイミングで出力部２２３が放電指令を出力することが可能である。なお、電力会社などによって、将来の電力抑制期間に電力使用量を抑制することを要求するＤＲ（Demand Response）信号が発信される場合には、ＤＲ信号に基づいて、出力部２２３は、放電指令を出力するタイミングを変更してもよい。これにより、蓄電装置４をより有効に利用することができる、という利点がある。
【００８７】
以上説明したように本実施形態の系統電圧管理システムは、需要家群１０には蓄電対応施設が複数含まれており、複数の蓄電対応施設の各々の蓄電装置４から充電状態に関する蓄電情報を取得する蓄電監視部をさらに備えている。ここで、出力部２２３は、代表値が上限閾値を超えた場合、複数の蓄電対応施設のうち、蓄電情報に基づく優先度が高い蓄電対応施設から順に、充電指令を出力するように構成されていることが好ましい。この構成によれば、たとえば蓄電装置４の空き容量が大きい需要家施設１の優先度を高く設定することで、効果的に、系統電圧の上昇を抑制することが可能になる。
【００８８】
また、本実施形態のように、複数の蓄電対応施設のうち少なくとも１つの蓄電対応施設は発電装置５が設置された発電対応施設であり、少なくとも１つの発電対応施設の発電装置５から発電状態に関する発電情報を取得する発電監視部をさらに備えることが好ましい。この場合に、優先度は、蓄電情報および発電情報に基づいて決定されることが好ましい。この構成によれば、たとえば発電装置５の発電量が多い需要家施設１の優先度を高く設定することで、効果的に、系統電圧の上昇を抑制することが可能になる。
【００８９】
また、本実施形態のように、出力部２２３は、蓄電情報に基づいて、複数の蓄電対応施設のうち蓄電装置４の空き容量が規定値未満の蓄電対応施設の蓄電装置４に対して放電を実施させる放電指令を出力するように構成されていることが好ましい。この構成によれば、電力系統７の電圧が上昇した場合に出力部２２３からの充電指令に対応して充電を実施可能な蓄電装置４を確保することができ、結果的に、電力系統７の電圧の安定化が図りやすくなる。
【００９０】
なお、実施形態２で説明した構成は、実施形態１で説明した構成（変形例を含む）と適宜組み合わせて適用可能である。勿論、実施形態１で説明したプログラム、および系統電圧管理方法についても、実施形態１で説明した構成（変形例を含む）、および実施形態２で説明した構成（変形例を含む）と適宜組み合わせて適用可能である。
【符号の説明】
【００９１】
１，１１〜１４  需要家施設
４  蓄電装置
５  発電装置
７  電力系統
１０  需要家群
７１  変圧器
２２１  取得部（蓄電監視部、発電監視部）
２２２  算出部
２２３  出力部
Ａｖ１  平均値
Ｄ１１〜Ｄ１４  電圧データ
Ｖｍａｘ１  上限閾値
Ｖｍａｘ２  個別上限値
Ｖｍｉｎ１  下限閾値
Ｖｍｉｎ２  個別下限値
【図１】
0006569977.tif 000003
【図２】
0006569977.tif 000004
【図３】
0006569977.tif 000005
【図４】
0006569977.tif 000006
【図５】
0006569977.tif 000007